(57)【特許請求の範囲】
【請求項１】
複数の基地局が存在し、各基地局が使用可能な複数の周波数チャネルの中から所定の周波数チャネルを選択し、当該所定の周波数チャネルを介して各基地局とそれぞれの配下の移動端末との間で無線パケットを交換する無線パケット通信システムにおいて、
前記各基地局は、
前記所定の周波数チャネルで、自局に接続した移動端末の識別子に基づいて新規に接続した移動端末か否かを判断し、自局に現在までに新規に接続した移動端末の数である通算端末接続数を計測する計測手段と、
前記計測手段で計測された通算端末接続数を記憶する記憶手段と、
前記所定の周波数チャネルに存在する他の基地局に対して、その基地局が記憶している前記通算端末接続数を問い合わせる問合せ信号を送信し、また他の基地局からの問合せ信号に対して自局における通算端末接続数に対応する情報を載せた応答信号を送信する送信手段と、
前記他の基地局から送信された前記問合せ信号および前記応答信号を受信する受信手段と、
前記応答信号により通算端末接続数が所定の閾値を超えている他の基地局の存在を検出したときに、前記所定の周波数チャネルを他の周波数チャネルに切り替える周波数チャネル選択手段と
を備えたことを特徴とする無線パケット通信システム。
【請求項２】
請求項１に記載の無線パケット通信システムにおいて、
前記送信手段は、受信した問合せ信号に対して自局における通算端末接続数を載せた応答信号を送信する構成であり、
前記周波数チャネル選択手段は、前記応答信号を送信した基地局の通算端末接続数を取得し、その通算端末接続数が所定の閾値を超えている場合に、前記所定の周波数チャネルを他の周波数チャネルに切り替える構成である
ことを特徴とする無線パケット通信システム。
【請求項３】
請求項１に記載の無線パケット通信システムにおいて、
前記送信手段は、受信した問合せ信号に対して自局における通算端末接続数が所定の閾値を超えていればその旨を通知する応答信号を送信する構成であり、
前記周波数チャネル選択手段は、前記応答信号に応じて前記所定の周波数チャネルを他の周波数チャネルに切り替える構成である
ことを特徴とする無線パケット通信システム。
【請求項４】
複数の基地局が存在し、各基地局が使用可能な複数の周波数チャネルの中から所定の周波数チャネルを選択し、当該所定の周波数チャネルを介して各基地局とそれぞれの配下の移動端末との間で無線パケットを交換する無線パケット通信方法において、
前記各基地局は、
前記所定の周波数チャネルで、自局に接続した移動端末の識別子に基づいて新規に接続した移動端末か否かを判断し、自局に現在までに新規に接続した移動端末の数である通算端末接続数を計測手段で計測し、
前記計測手段で計測された通算端末接続数を記憶手段に記憶し、
前記所定の周波数チャネルに存在する他の基地局に対して、その基地局が記憶している前記通算端末接続数を問い合わせる問合せ信号を送信し、また他の基地局からの問合せ信号に対して自局における通算端末接続数に対応する情報を載せた応答信号を送信し、
前記他の基地局から送信された前記問合せ信号および前記応答信号を受信し、
前記応答信号により通算端末接続数が所定の閾値を超えている他の基地局の存在を検出したときに、前記所定の周波数チャネルを他の周波数チャネルに切り替える
ことを特徴とする無線パケット通信方法。
【請求項５】
請求項４に記載の無線パケット通信方法において、
前記応答信号は、受信した問合せ信号に対して自局における通算端末接続数を載せる構成であり、
前記応答信号を受信した基地局は、前記応答信号を送信した基地局の通算端末接続数を取得し、その通算端末接続数が所定の閾値を超えている場合に、前記所定の周波数チャネルを他の周波数チャネルに切り替える
ことを特徴とする無線パケット通信方法。
【請求項６】
請求項４に記載の無線パケット通信方法において、
前記応答信号は、受信した問合せ信号に対して自局における通算端末接続数が所定の閾値を超えていればその旨を通知する構成であり、
前記応答信号を受信した基地局は、前記応答信号に応じて前記所定の周波数チャネルを他の周波数チャネルに切り替える
ことを特徴とする無線パケット通信方法。
【発明の詳細な説明】
【技術分野】
【０００１】
本発明は、複数の基地局間および基地局と移動端末との間で無線パケットを交換する無線パケット通信システムにおいて、基地局が使用可能な複数の周波数チャネルの中から最適な周波数チャネルを選択する無線パケット通信システムおよび無線パケット通信方法に関する。
【背景技術】
【０００２】
無線パケット通信は、無線ＬＡＮをはじめとする様々なシステムで採用されている通信形態である。無線ＬＡＮの規格については、IEEE802.11委員会で標準化が進められ、IEEE802.11規格（非特許文献１）として制定されている。この規格で規定されている通信モードの一つにインフラストラクチャモードがある。インフラストラクチャモードは、基地局（アクセスポイント）に移動端末が無線接続して形成される無線ネットワークで使用される通信モードである。基地局（アクセスポイント）は、基本的にイーサネット等の有線ネットワークに接続されており、無線ネットワークと有線ネットワークとのブリッジ機能をもつ。すなわち、移動端末からみた基地局（アクセスポイント）は、有線ネットワークへの入り口としての役割を担う。
【０００３】
図４は、無線パケット通信システムの無線局（基地局、移動端末）の構成例を示す。図において、無線局は、送受信処理部３０、送信バッファ４１、無線パケット生成部４２、送信制御部４３およびヘッダ除去部４４を備える。送受信処理部３０は、変調部３１、無線送信部３２、アンテナ３３、無線受信部３４、復調部３５、パケット選択部３６、キャリア検出部３７により構成される。
【０００４】
IEEE802.11規格の無線パケット通信システムでは、各無線局は無線パケットの送信に先立って、当方の無線局が使用する周波数チャネルの信号検出（キャリアセンス）を行い、信号が検出されない場合に無線パケットの送信処理を開始し、信号が検出された場合に送信処理を延期する。以下、各部の処理について詳しく説明するが、キャリアセンス前の周波数チャネル選択処理やキャリアセンス後のバックオフ制御処理等については説明を省略する。
【０００５】
無線受信部３４には、アンテナ３３を介して受信された無線信号が入力される。無線受信部３４は、入力した無線信号に対して周波数変換、フィルタリング、直交検波およびＡＤ変換を含む受信処理を施す。なお、無線受信部３４に接続されたアンテナ３３が送信のために使用されていないときは、周波数チャネルにおける無線信号が常時入力されており、無線信号の受信電力強度を表すＲＳＳＩ信号がキャリア検出部３７へ出力される。また、無線受信部３４が無線信号を受信した場合には、受信処理されたベースバンド信号が復調部３５へ出力される。
【０００６】
キャリア検出部３７は、無線受信部３４から入力したＲＳＳＩ信号を用いて周波数チャネルの状態を判定する。一定期間に渡って受信電力強度が予め定めた閾値以下であった場合には周波数チャネルは空き状態であると判定され、そうでない場合には周波数チャネルはビジー状態であると判定される。この判定結果は、送信制御部４３にキャリアセンス結果として通知される。
【０００７】
一方、送信バッファ４１には、有線ネットワークあるいは無線局が接続される装置（コンピュータなど）の上位レイヤからデータフレームが入力される。送信バッファ４１はデータフレームを入力すると、送信制御部４３に対してデータフレームの入力を通知する。あるいは、送信バッファ４１は、蓄積しているデータフレームに関する情報（データフレーム数、データサイズ、データフレームの宛先アドレス等）を送信制御部４３に逐次出力する。
【０００８】
送信制御部４３は、送信バッファ４１から入力したデータフレームの蓄積情報と、キャリア検出部３７から入力したキャリアセンス結果に基づき、送信処理を開始するかどうかを判定する。送信バッファ４１にデータフレームが蓄積されており、かつ周波数チャネルが空き状態の場合に送信処理開始と判定する。それ以外の場合には送信処理は開始しない。送信制御部４３は送信処理開始と判定すると、送信バッファ４１に対してデータフレームを出力するように指示する。送信バッファ４１は、送信制御部４３の出力指示に応じて先頭に蓄積されているデータフレームを無線パケット生成部４２に出力する。
【０００９】
無線パケット生成部４２は、送信バッファ４１から入力したデータフレームに対して、宛先無線局アドレス、送信元無線局アドレス等の制御情報で構成されるヘッダおよび誤り検出符号を付加した無線パケットを生成する。生成された無線パケットは、変調部３１で変調処理され、無線送信部３２でＤＡ変換、周波数変換、フィルタリングおよび電力増幅を含む送信処理が施され、アンテナ３３から無線信号として送信される。
【００１０】
一方、アンテナ３３を介して無線受信部３４に受信した無線信号は、前述したようにベースバンド信号に変換されて復調部３５に入力する。復調部３５は、入力するベースバンド信号を復調処理し、受信パケットとしてパケット選択部３６に出力する。パケット選択部３６では、受信パケットのヘッダに含まれる制御情報を解析し、受信パケットを適切な処理部へ出力する。受信パケットの宛先無線局アドレスが当方の無線局アドレスと一致した場合には受信パケットをヘッダ除去部４４に出力し、一致しない場合に受信パケットを破棄する。ヘッダ除去部４４は、当方の無線局宛ての受信パケットのヘッダを除去してデータフレームを抽出し、受信データフレームとして有線ネットワークまたは接続している装置の上位レイヤへ出力する。
【００１１】
なお、ここでは詳細な説明を省略するが、パケット選択部３６は認証情報等が記述された管理パケットや送達確認情報等が記述された制御パケットを受信した場合には、それらの情報に基づいて認証処理等を行う管理パケット処理部や送達確認処理等を行う制御パケット処理部へそれらを出力する。
【００１２】
このような構成により、各無線局はキャリアセンスにより自律的にチャネルアクセス制御を行い、無線パケットを送信することが可能となる。
【非特許文献１】IEEE802.11,"Part 11:Wireless LAN Medium Access Control (MAC)and Physical Layer (PHY) Specifications",IEEE std 802.11, August 1999
【発明の開示】
【発明が解決しようとする課題】
【００１３】
無線ＬＡＮなどの無線パケット通信システムは、家庭内ネットワーク、社内ネットワーク、公衆無線アクセスネットワークなど様々な環境に適用することができる。ここで、公衆無線アクセスネットワークとは、例えば鉄道駅や空港など不特定多数の人が集まる場所に設置される無線アクセスネットワークであり、サービスに加入していれば、誰でも自由にアクセスできるネットワークを指す。このような公衆無線アクセスネットワークでは、これに同時にアクセスしているユーザ数も比較的多く、よって送受信されるトラフィックも非常に大きいと考えられる。一方、家庭内ネットワークや社内ネットワークは、同時に接続しているユーザ数も比較的少なく、トラフィックも小さい。このような状況において、家庭内ネットワークや社内ネットワークが運用されている近隣で公衆無線アクセスネットワークが運用されていると、前者のネットワークのスループットが低下する問題が生じる可能性がある。
【００１４】
例えば、公衆無線アクセスネットワークが運用している近隣に、無線ＬＡＮを用いた家庭内ネットワーク（社内ネットワーク）を構築し、これらのネットワークが同じ周波数チャネルを選択した場合を想定する。この場合のシステムイメージを図５に示す。
【００１５】
図５において、公衆無線アクセスネットワーク５０の基地局（アクセスポイント）５１は、公衆ネットワーク（例えば、インターネットサービスプロバイダネットワーク）５２に有線接続されるとともに、移動端末５３−１〜５３−３と無線接続される。すなわち、各移動端末５３−１〜５３−３は、基地局５１を介して公衆ネットワーク５２にアクセスする。一方、家庭内ネットワーク６０の基地局（アクセスポイント）６１は、ホームネットワーク６２に有線接続されるとともに移動端末６３と無線接続される。移動端末６３は、基地局６１を介してホームネットワーク６２にアクセスする。なお、ホームネットワーク６２には、図示しないがホームサーバ等を介してインターネットサービスプロバイダネットワークが接続される。
【００１６】
このようなシステムにおいて、公衆無線アクセスネットワーク５０の基地局５１と、家庭内ネットワーク６０の基地局６１が同一周波数チャネル（chＡ）で運用していることを想定する。このとき、一時的に公衆無線アクセスネットワーク５０に多数のユーザが同時にアクセスしたとき、またはヘビーユーザがアクセスしたときに、これらのユーザのトラフィックによって家庭内ネットワーク６０のチャネル容量が小さくなり、結果としてスループットが低下することになる。また、近隣の複数の公衆無線アクセスネットワーク５０が同一周波数チャネルで運用されている場合にも、一方のアクセス数が増大した場合に同様の問題が生じる。
【００１７】
本発明は、このような事情を考慮し、基地局（アクセスポイント）が使用可能な複数の周波数チャネルから所定の周波数チャネルを選択し、当該所定の周波数チャネルを介してそれぞれ配下の移動端末と無線パケットを交換する無線パケット通信システムにおいて、トラフィックが大きくなる公衆無線アクセスネットワークの存在に起因して生じるスループットの低下を回避することができる無線パケット通信システムおよび無線パケット通信方法を提供することを目的とする。
【課題を解決するための手段】
【００１８】
第１の発明は、複数の基地局が存在し、各基地局が使用可能な複数の周波数チャネルの中から所定の周波数チャネルを選択し、当該所定の周波数チャネルを介して各基地局とそれぞれの配下の移動端末との間で無線パケットを交換する無線パケット通信システムにおいて、各基地局は、所定の周波数チャネルで、自局に接続した移動端末の識別子に基づいて新規に接続した移動端末か否かを判断し、自局に現在までに新規に接続した移動端末の数である通算端末接続数を計測する計測手段と、計測手段で計測された通算端末接続数を記憶する記憶手段と、所定の周波数チャネルに存在する他の基地局に対して、その基地局が記憶している通算端末接続数を問い合わせる問合せ信号を送信し、また他の基地局からの問合せ信号に対して自局における通算端末接続数に対応する情報を載せた応答信号を送信する送信手段と、他の基地局から送信された問合せ信号および応答信号を受信する受信手段と、応答信号により通算端末接続数が所定の閾値を超えている他の基地局の存在を検出したときに、所定の周波数チャネルを他の周波数チャネルに切り替える周波数チャネル選択手段とを備える。
【００１９】
ここで、送信手段は、受信した問合せ信号に対して自局における通算端末接続数を載せた応答信号を送信する構成であり、周波数チャネル選択手段は、応答信号を送信した基地局の通算端末接続数を取得し、その通算端末接続数が所定の閾値を超えている場合に、所定の周波数チャネルを他の周波数チャネルに切り替える構成としてもよい。
【００２０】
また、送信手段は、受信した問合せ信号に対して自局における通算端末接続数が所定の閾値を超えていればその旨を通知する応答信号を送信する構成であり、周波数チャネル選択手段は、応答信号に応じて所定の周波数チャネルを他の周波数チャネルに切り替える構成としてもよい。
【００２２】
第２の発明は、複数の基地局が存在し、各基地局が使用可能な複数の周波数チャネルの中から所定の周波数チャネルを選択し、当該所定の周波数チャネルを介して各基地局とそれぞれの配下の移動端末との間で無線パケットを交換する無線パケット通信方法において、各基地局は、所定の周波数チャネルで、自局に接続した移動端末の識別子に基づいて新規に接続した移動端末か否かを判断し、自局に現在までに新規に接続した移動端末の数である通算端末接続数を計測手段で計測し、計測手段で計測された通算端末接続数を記憶手段に記憶し、所定の周波数チャネルに存在する他の基地局に対して、その基地局が記憶している通算端末接続数を問い合わせる問合せ信号を送信し、また他の基地局からの問合せ信号に対して自局における通算端末接続数に対応する情報を載せた応答信号を送信し、他の基地局から送信された問合せ信号および応答信号を受信し、応答信号により通算端末接続数が所定の閾値を超えている他の基地局の存在を検出したときに、所定の周波数チャネルを他の周波数チャネルに切り替えることを特徴とする。
【００２３】
ここで、応答信号は、受信した問合せ信号に対して自局における通算端末接続数を載せる構成であり、応答信号を受信した基地局は、応答信号を送信した基地局の通算端末接続数を取得し、その通算端末接続数が所定の閾値を超えている場合に、所定の周波数チャネルを他の周波数チャネルに切り替えるようにしてもよい。
【００２４】
また、応答信号は、受信した問合せ信号に対して自局における通算端末接続数が所定の閾値を超えていればその旨を通知する構成であり、応答信号を受信した基地局は、応答信号に応じて所定の周波数チャネルを他の周波数チャネルに切り替えるようにしてもよい。
【発明の効果】
【００２６】
本発明は、近隣で同一周波数チャネルを使用している基地局が存在し、かつその基地局の通算端末接続数またはトラフィック量が大きい場合に、当該基地局が公衆無線アクセスネットワークで使用されている基地局と判定し、当方の基地局が使用する周波数チャネルを他の周波数チャネルに切り替えることができる。これにより、公衆無線アクセスネットワークと同一周波数チャネルが使用されることを回避し、公衆無線アクセスネットワークの存在に起因して生じるスループットの低下を回避することができる。
【発明を実施するための最良の形態】
【００２７】
図１は、本発明の無線パケット通信システムにおける基地局の構成例を示す。ここでは、基地局間通信に係る主要部の構成を示すが、基地局の基本的構成は図４に示す通りである。
【００２８】
図１において、基地局１０Ａ，１０Ｂは、計測手段１１、記憶手段１２、送信手段１３、受信手段１４、周波数チャネル選択手段１５を備える。計測手段１１は、使用可能な複数の周波数チャネルの中から選択した所定の周波数チャネルで、自局に現在までに新規に接続した移動端末の数である通算端末接続数またはトラフィック量を計測する。記憶手段１２は、計測手段１１で計測された通算端末接続数またはトラフィック量を記憶する。送信手段１３は、所定の周波数チャネルに存在する他の基地局に対して、その基地局が記憶している通算端末接続数またはトラフィック量を問い合わせる問合せ信号を送信し、また他の基地局からの問合せ信号に対して自局における通算端末接続数またはトラフィック量を載せた応答信号を送信する。受信手段１４は、他の基地局から送信された問合せ信号および応答信号を受信する。なお、基地局１０Ａ，１０Ｂが互いに異なる周波数チャネルを選択している場合には、問合せ信号は受信されないので対応する応答信号も送信されない。周波数チャネル選択手段１５は、応答信号から他の基地局における通算端末接続数またはトラフィック量を取得し、その通算端末接続数またはトラフィック量が所定の閾値を超えている場合に、所定の周波数チャネルを他の周波数チャネルに切り替える。
【００２９】
図２は、本発明の無線パケット通信システムの基地局における処理フローを示す。なお、本処理フローは、例えば図５に示す公衆無線アクセスネットワーク５０の基地局５１と、家庭内ネットワーク６０の基地局６１において適切な周波数チャネルを選択するための手順であり、それぞれで周期的に実施される。具体的には、基地局５１，６１にタイマを備え、当該タイマがタイムアウトすることによって図２に示す周波数チャネル選択の処理を開始する。
【００３０】
また、周波数チャネル選択には、例えば図４に示す無線受信部３４、キャリア検出部３７、送信制御部４３を用い、使用可能な全ての周波数チャネルにおいて、受信電力やチャネル利用率などを測定し、その結果として受信電力やチャネル利用率が最も低い周波数チャネルを選択する方法などがあるが、本発明はこの方法に限定されるものではない。
【００３１】
以下、図１および図２を参照し、基地局（アクセスポイント）における周波数チャネル選択の処理手順について説明する。
【００３２】
基地局（アクセスポイント）の送信手段１３は、隣接する基地局（アクセスポイント）に対して通算端末接続数を問い合わせる問合せ信号を所定の周波数チャネルで送信する（Ｓ11）。ここで、通算端末接続数とは、各基地局が管理しているパラメータであり、当該基地局に現在までに新規に接続した移動端末の数を示す。すなわち、各基地局の計測手段１１は、移動端末が接続する度に、当該移動端末が過去に接続したことがあるか否かを判断し、新規接続の場合に通算端末接続数を１つインクリメントし、記憶手段１２に記憶する。公衆無線アクセスネットワークは、不特定多数の移動端末が接続するネットワークであるため、通算端末接続数は非常に大きくなる可能性が高い。一方、家庭内ネットワークや社内ネットワークには、基本的にいつも同じ移動端末が接続されるため通算端末接続数は大きくならないし、その上限値もほぼ判明している。
【００３３】
一方、所定の周波数チャネルを使用している隣接する基地局は、受信手段１４で問合せ信号を受信すると、送信手段１３から記憶手段１２に記憶している通算端末接続数を応答信号として返信する。なお、隣接する基地局と使用する周波数チャネルが異なる場合には問合せ信号は受信せず、また前述した従来の問題点も生じない。
【００３４】
問合せ信号を送信した基地局の受信手段１４は、隣接する基地局から返信された応答信号（通算端末接続数）を受信し（Ｓ12）、周波数チャネル選択手段１５の管理リストに、応答信号を返信した基地局の識別子と通算端末接続数とを対応付けて登録（更新）する（Ｓ13）。
【００３５】
予め登録しているすべての基地局から応答信号を受信するか（Ｓ14）、または応答信号の受信期間が経過（タイマがタイムアウト）した場合に（Ｓ15）、周波数チャネル選択手段１５はそれぞれの基地局における通算端末接続数と所定の閾値とを比較する（Ｓ16）。ここで、隣接する基地局の通算端末接続数の中で閾値を超えているものがあれば周波数チャネル選択処理を行い（Ｓ17）、現在選択している周波数チャネルから他の周波数チャネルへの切り替えを行う。
【００３６】
例えば、図５に示すシステムにおいて、公衆無線アクセスネットワーク５０の基地局５１に現時点で３台の移動端末が接続されており、通算端末接続数は64台であり、家庭内ネットワーク６０の基地局６１の周波数チャネル選択処理における通算端末接続数の閾値は64であったとする。この時点では、基地局６１は周波数チャネルの切り替えは行わない。しかし、基地局５１にさらに新規の移動端末が接続された場合には、基地局６１が問合せ信号を送信し、基地局５１から返信された応答信号（通算端末接続数：65）を受信したときに、基地局６１は通算端末接続数の閾値を超えたことを検出して、現在選択している周波数チャネルから他の周波数チャネルの切り替えを行う。
【００３７】
また、図２の処理フローでは、家庭内ネットワーク（社内ネットワーク）と公衆無線アクセスネットワークが隣接する場合に、互いに隣接する基地局の通算端末接続数を取得することにより、隣接する基地局が公衆無線アクセスネットワークにおける基地局であると判定した方、すなわち家庭内ネットワーク（社内ネットワーク）の方で使用する周波数チャネルを切り替えることになる。また、公衆無線アクセスネットワークの基地局どうしでも、一方の通算端末接続数が閾値を超えた場合には、他方の基地局の方で使用する周波数チャネルを切り替える。
【００３８】
また、以上説明した基地局における通算端末接続数に代えてトラフィック量を用いてもよい。これは、公衆無線アクセスネットワークに接続する移動端末は通信を目的としてアクセスするため、一時的なトラフィックの増大が移動端末の接続数に応じて頻繁に起こる。そのため、図２に示す処理フローの「通算端末接続数」について、トラフィック量またはトラフィック量が一時的に増大する頻度に読み替えても、同様の周波数チャネルの切り替えが可能となる。なお、基地局におけるトラフィック量は、移動端末から受信した無線パケットに含まれるデータ量、および自局に接続している移動端末に送信して正常に受信されたことを確認した無線パケットに含まれるデータ量を周期的に計測される。
【００３９】
図３は、従来の無線管理パケット、問合せ信号および応答信号のフレームフォーマット例を示す。従来の無線管理パケットは、図３(1) に示すように、ＭＡＣヘッダ、複数の情報要素（伝送速度や基地局の識別子など）を含むペイロード、誤り検出符号により構成される。本発明で用いる問合せ信号および応答信号は、図３(2) に示すように、従来の無線管理パケットのペイロードに新規情報要素を追加し、問合せ信号の場合には通算端末接続数の要求、応答信号の場合には通算端末接続数を書き込む。また、通算端末接続数をトラフィック量またはトラフィック量が一時的に増大する頻度の値に置き換えてもよいし、通算端末接続数の要求／応答とトラフィック量の要求／応答などを併記するようにしてもよい。
【００４０】
また、以上の説明では、隣接する基地局から通算端末接続数（またはトラフィック量など）を取得した基地局側で、周波数チャネルの切り替えが必要か否かを判定していたが、問合せ信号を受けた基地局側で自らの通算端末接続数（またはトラフィック量など）が閾値を超えているか否かを判定し、問合せ信号を送信した基地局側にその結果（例えば周波数チャネル切り替え指示）を応答信号として返信してもよい。この場合には、問合せ信号に対する応答信号を受信した基地局が、その応答信号をもって周波数チャネルの切り替えを行うことになる。
【図面の簡単な説明】
【００４１】
【図１】本発明の無線パケット通信システムの基地局の構成例を示す図。
【図２】本発明の無線パケット通信システムの基地局における処理フローを示す図。
【図３】従来の無線管理パケット、問合せ信号および応答信号のフレームフォーマット例を示す図。
【図４】無線パケット通信システムの無線局（基地局、移動端末）の構成例を示す図。
【図５】従来の問題点を説明するためのシステム構成を示す図。
【符号の説明】
【００４２】
１０Ａ，１０Ｂ  基地局
１１  計測手段
１２  記憶手段
１３  送信手段
１４  受信手段
１５  周波数チャネル選択手段
３０  送受信処理部
３１  変調部
３２  無線送信部
３３  アンテナ
３４  無線受信部
３５  復調部
３６  パケット選択部
３７  キャリア検出部
４１  送信バッファ
４２  無線パケット生成部
４３  送信制御部
４４  ヘッダ除去部
【図１】
0004584170.tif 000002
【図２】
0004584170.tif 000003
【図３】
0004584170.tif 000004
【図４】
0004584170.tif 000005
【図５】
0004584170.tif 000006